(57)【要約】【課題】  ホームネットワークを通じてＤＶＤコンテンツを利用する方法及び装置を提供する。【解決手段】  クライアントでサーバのＤＶＤコンテンツを認知すれば、ＤＶＤコンテンツについてのビデオマネージャ情報及びビデオタイトルセット情報を優先的に受信してタイトル、プログラムチェーン及びプログラムについてのセクター情報を獲得し、これを利用してセクター単位でＤＶＤコンテンツを要請し、データが暗号化された場合、サーバがディスクキー及びタイトルキーをデータと共に伝送する。これにより、ユーザは、ホームネットワークのディバイスで遠隔のサーバに保存されたＤＶＤコンテンツをストリーミング再生しつつも、ローカル再生器でＤＶＤコンテンツを再生すると共に、ＤＶＤが提供する多様な機能をそのまま使用でき、また、暗号化されたデータが復号化されずにそのまま伝送されるので、ＤＶＤ著作権者は、コンテンツ複製に対する恐れが軽減されうる。【選択図】      図１１Ａ
2007159137.tif 000002
【特許請求の範囲】
【請求項１】
ホームネットワークのサーバでＤＶＤコンテンツを提供する方法において、
（ａ）コンテンツ目録要請に対する応答としてＤＶＤコンテンツであることを表す項目情報を伝送するステップと、
（ｂ）前記項目情報を獲得したクライアントから前記ＤＶＤコンテンツに対するセクター単位のデータ要請が受信され、該セクターのデータを抽出して前記クライアントに伝送するステップとを含むことを特徴とする方法。
【請求項２】
前記項目情報は、前記ＤＶＤコンテンツがセクター単位の要請が可能であることを表す情報及び前記ＤＶＤコンテンツのＵＲＩを含むことを特徴とする請求項１に記載の方法。
【請求項３】
前記ＤＶＤコンテンツのビデオマネジャー情報を参照して前記項目情報を生成するステップをさらに含むことを特徴とする請求項１に記載の方法。
【請求項４】
前記（ｂ）ステップは、
前記要請されたセクターのデータがＣＳＳによって暗号化された場合、復号化のためのディスクキー及びタイトルキーを前記要請されたデータと共に伝送することを特徴とする請求項１に記載の方法。
【請求項５】
前記ホームネットワークは、ＵＰｎＰ  ＡＶアーキテクチャーを基盤とし、前記（ａ）ステップは、ＵＰｎＰ  ＡＶ  ＣＰのＣＤＳ：：Ｂｒｏｗｓｅ（）呼び出しに対する応答として前記項目情報を前記ＵＰｎＰ  ＣＰに伝送するステップであることを特徴とする請求項１に記載の方法。
【請求項６】
前記クライアントは、前記ＵＰｎＰ  ＡＶ  ＣＰのＡＶＴ：：ＳｅｔＡＶＴｒａｎｓｐｏｒｔＵＲＩ（）呼び出しメッセージを通じて前記項目情報を受信することを特徴とする請求項５に記載の方法。
【請求項７】
請求項１に記載の方法をコンピュータで実行させるためのプログラムを記録したコンピュータで読み取り可能な記録媒体。
【請求項８】
ホームネットワークでＤＶＤコンテンツを提供するサーバにおいて、
コンテンツ目録要請に対する応答としてＤＶＤコンテンツであることを表す項目情報を伝送する目録要請処理部と、
前記項目情報を獲得したクライアントから前記ＤＶＤコンテンツに対するセクター単位のデータ要請が受信され、該セクターのデータを抽出して前記クライアントに伝送する遠隔要請処理部とを備えることを特徴とする装置。
【請求項９】
前記項目情報は、前記ＤＶＤコンテンツは、セクター単位の要請が可能であることを表す情報及び前記ＤＶＤコンテンツのＵＲＩを含むことを特徴とする請求項８に記載の装置。
【請求項１０】
前記目録要請処理部は、前記ＤＶＤコンテンツのビデオマネジャー情報を参照して前記項目情報を生成することを特徴とする請求項８に記載の装置。
【請求項１１】
前記遠隔要請処理部は、前記要請されたセクターのデータがＣＳＳによって暗号化された場合、復号化のためのディスクキー及びタイトルキーを前記要請されたデータと共に伝送することを特徴とする請求項８に記載の装置。
【請求項１２】
前記ホームネットワークは、ＵＰｎＰ
ＡＶアーキテクチャーを基盤とし、前記目録要請処理部は、ＵＰｎＰ  ＡＶ  ＣＰのＣＤＳ：：Ｂｒｏｗｓｅ（）呼び出しに対する応答として前記項目情報を前記ＵＰｎＰ  ＣＰに伝送するＣＤＳモジュールであることを提供することを特徴とする請求項８に記載の装置。
【請求項１３】
前記クライアントは、前記ＵＰｎＰ  ＡＶ  ＣＰのＡＶＴ：：ＳｅｔＡＶＴｒａｎｓｐｏｒｔＵＲＩ（）呼び出しメッセージを通じて前記項目情報を受信することを特徴とする請求項１２に記載の装置。
【請求項１４】
ホームネットワークのクライアントで遠隔サーバのＤＶＤコンテンツを再生する方法において、
前記サーバのコンテンツ項目情報を参照してＤＶＤコンテンツを認知するステップと、
前記認知されたＤＶＤコンテンツのビデオマネジャー情報及びビデオタイトルセット情報（ＶＴＳＩ）を前記サーバから獲得するステップと、
前記獲得した情報を参照して前記サーバに前記ＤＶＤコンテンツに対するセクター単位のデータを要請するステップとを含むことを特徴とする方法。
【請求項１５】
前記項目情報は、前記ＤＶＤコンテンツが、セクター単位の要請が可能であることを表す情報と前記ＤＶＤコンテンツのＵＲＩとを含むことを特徴とする請求項１４に記載の方法。
【請求項１６】
前記要請に対する応答として受信されたデータがＣＳＳ暗号化された場合、前記受信されたデータに含まれたディスクキー及びタイトルキーを利用して前記データを復号化するステップをさらに含むことを特徴とする請求項１４に記載の方法。
【請求項１７】
前記項目情報は、ＵＰｎＰ  ＡＶ  ＣＰのＡＶＴ：：ＳｅｔＡＶＴｒａｎｓｐｏｒｔＵＲＩ（）呼び出しを通じて前記ＵＰｎＰＡＶＣＰから受信され、
前記ホームネットワークは、ＵＰｎＰＡＶアーキテクチャーを基盤とすることを特徴とする請求項１４に記載の方法。
【請求項１８】
前記ＡＶＴ：：ＳｅｔＡＶＴｒａｎｓｐｏｒｔＵＲＩ（）呼び出しがある前、前記ＵＰｎＰ  ＡＶ  ＣＰのＣＭ：：ＧｅｔＰｒｏｔｏｃｏｌＩｎｆｏ（）呼び出しに対する応答として、ＤＶＤコンテンツをセクター単位で再生しうるということを前記ＵＰｎＰＡＶＣＰに通知するステップをさらに含むことを特徴とする請求項１７に記載の方法。
【請求項１９】
請求項１４に記載の方法をコンピュータで実行させるためのプログラムを記録したコンピュータで読み取り可能な記録媒体。
【請求項２０】
ホームネットワークで遠隔サーバのＤＶＤコンテンツを再生するクライアント装置において、
前記サーバのコンテンツ項目情報を参照してＤＶＤコンテンツを認知するＤＶＤ認知部と、
前記認知されたＤＶＤコンテンツのビデオマネジャー情報及びビデオタイトルセット情報（ＶＴＳＩ）を前記サーバから獲得する情報獲得部と、
前記獲得した情報を参照して前記サーバに前記ＤＶＤコンテンツに対するセクター単位のデータを要請するデータ要請部とを備えることを特徴とする装置。
【請求項２１】
前記項目情報は、前記ＤＶＤコンテンツが、セクター単位の要請が可能であることを表す情報と前記ＤＶＤコンテンツのＵＲＩとを含むことを特徴とする請求項２０に記載の装置。
【請求項２２】
前記データ要請部の要請に対する応答として受信されたデータがＣＳＳ暗号化された場合、前記受信されたデータに含まれたディスクキー及びタイトルキーを利用して前記データを復号化するＣＳＳ復号化部をさらに備えることを特徴とする請求項２０に記載の装置。
【請求項２３】
ＵＰｎＰ  ＡＶ  ＣＰのＡＶＴ：：ＳｅｔＡＶＴｒａｎｓｐｏｒｔＵＲＩ（）呼び出しを通じて前記ＵＰｎＰ  ＡＶ  ＣＰから前記項目情報を受信するＡＶＴモジュールをさらに備え、
前記ホームネットワークは、ＵＰｎＰＡＶアーキテクチャーを基盤とすることを特徴とする請求項２０に記載の装置。
【請求項２４】
前記ＡＶＴ：：ＳｅｔＡＶＴｒａｎｓｐｏｒｔＵＲＩ（）呼び出しがある前、前記ＵＰｎＰ  ＡＶ  ＣＰのＣＭ：：ＧｅｔＰｒｏｔｏｃｏｌＩｎｆｏ（）呼び出しに対する応答として、ＤＶＤコンテンツをセクター単位で再生しうるということを前記ＵＰｎＰ  ＡＶ  ＣＰに通知するＣＭＳモジュールをさらに備えることを特徴とする請求項２３に記載の装置。
【発明の詳細な説明】
【技術分野】
【０００１】
本発明は、ホームネットワークに係り、さらに詳細には、ホームネットワークを通じてＤＶＤコンテンツを利用するための方法及び装置に関する。
【背景技術】
【０００２】
ＤＶＤプレーヤは、家庭内で幅広く使われているマルチメディア再生機である。これは、ＤＶＤが大きい保存容量を活用して高品質コンテンツ提供をはじめとするユーザとのインタラクション機能、多様なストーリーライン機能、ペアレンタルコントロール機能など、劇場で提供できない多様な付加的な機能を提供するためであり、これにより、ＤＶＤは、次第に既存のＶＴＲ（ビデオ  テープ  レコーダ）などのアナログ機器用媒体及びＣＤ（コンパクト  ディスク）媒体を代替しつつある。
【０００３】
一方、家庭内のＡＶ（オーディオ／ビデオ）機器を中心にネットワーク環境が次第に普遍化されていくにつれて、ネットワーク機能を有する機器も増加している趨勢である。これにより、ローカルコンテンツだけでなく、ネットワークを通じて連結されたメディアサーバを利用して、家庭内の如何なる機器でもコンテンツを利用しようとするユーザの要求も増大している。
【０００４】
ＤＶＤコンテンツもやはりネットワークを利用してローカル機器ではない遠隔機器でストリーミングを通じて再生することが可能であり、これについてホームネットワーク標準化でも議論が活発に進められると予想される。しかし、現在遠隔の機器でＤＶＤを再生する時には、ＤＶＤが提供している多様な付加的な機能、例えば、タイトルメニューやチャプターの変更及び多様なストーリーライン機能を利用できず、単にコンテンツしか再生できないという限界がある。
【０００５】
例えば、既存のＵＰｎＰ  Ｍｅｄｉａ  Ｓｅｒｖｅｒ上のＣｏｎｔｅｎｔ  Ｄｉｒｅｃｔｏｒｙ  Ｓｅｒｖｉｃｅ規格は、ＤＶＤ  Ｖｉｄｅｏディスクをコンテンツ項目（Ｉｔｅｍ）で表現する方法を定義していない。現在のＵＰｎＰ  ＡＶアーキテクチャー基盤のホームネットワークで、ディバイスが遠隔のサーバに存在するＤＶＤコンテンツを利用する方法として、ＤＶＤコンテンツをタイトル単位でアクセスする方法とファイル単位でアクセスする方法とがありうるが、以下で詳細に説明する。
【０００６】
図１Ａは、一般的なＵＰｎＰ  ＡＶアーキテクチャーを基盤とするホームネットワークで、ＤＶＤコンテンツをタイトル単位でアクセスして利用する方法を説明するためのフローチャートである。ＵＰｎＰ  Ｍｅｄｉａ  Ｓｅｒｖｅｒは、ＤＶＤディスクの挿入時にＶｉｄｅｏ  Ｍａｎａｇｅｒ  Ｉｎｆｏｒｍａｔｉｏｎファイルからタイトル情報を抽出してＣｏｎｔｅｎｔ  Ｄｉｒｅｃｔｏｒｙ  Ｓｅｒｖｉｃｅ上のコンテンツ項目情報を生成するが、このような項目情報の例を図１Ｂに示した。ユーザは、ＵＰｎＰ  Ｃｏｎｔｒｏｌ  Ｐｏｉｎｔを使用してＵＰｎＰ  Ｍｅｄｉａ  Ｒｅｎｄｅｒｅｒにこのコンテンツ項目情報によって特定されるコンテンツの再生を要請し、このとき、伝えられるＵＲＬ情報は、ＤＶＤタイトル単位で接近できるＵＲＬである。
【０００７】
このような方法によれば、ＵＰｎＰ  Ｍｅｄｉａ  ＳｅｒｖｅｒがＶｉｄｅｏ  Ｍａｎａｇｅｒ  Ｉｎｆｏｒｍａｔｉｏｎを分析してＴｉｔｌｅ単位でＤＶＤ  Ｖｉｄｅｏコンテンツを提供するとしても、実際のＤＶＤディスクで提供するメニュー画面を使用できず、したがって、ユーザは、どのＴｉｔｌｅがメインタイトルであるかを直接再生して確認せねばならない不便さがある。
【０００８】
図２Ａは、一般的なＵＰｎＰ  ＡＶアーキテクチャーを基盤とするホームネットワークで、ＤＶＤコンテンツをファイル単位でアクセスして利用する方法を説明するためのフローチャートである。
【０００９】
ＵＰｎＰ  Ｍｅｄｉａ  Ｓｅｒｖｅｒは、ＣＤＳ（コンテント  ディレクトリ  サービス）上でＤＶＤに対してアイテムを構成する時、ファイルシステム上で示す通りファイルを基準としてコンテンツ項目情報を生成できる。このような方法で使われうる項目情報の例を図２Ｂに示した。この場合にも同様に、ＵＰｎＰ  Ｃｏｎｔｒｏｌ  Ｐｏｉｎｔを使用してＵＰｎＰ  Ｍｅｄｉａ  Ｓｅｒｖｅｒ上の項目を使用するユーザが全てのファイルに対して再生要請を行うことによって、自身が直接所望のタイトルを構成するＶＯＢ（ビデオ  オブジェクト  セット）ファイルを探して再生せねばならないという不便さがある。
【００１０】
すなわち、従来の方法によれば、ユーザは、自身が所望するタイトルを直接再生して確認せねばならず、ＤＶＤの固有なメニュー画面を使用できなくなって、該当コンテンツの特徴を最もよく表すグラフィックユーザインターフェースが使用できない。また、特定のＤＶＤタイトルのストリーミング再生時にＰＧＣ（プログラム  チェーン）間の移動が不能であるので、Ｐａｒｅｎｔａｌ  Ｃｏｎｔｒｏｌを適用するか、またはカメラのアングルを変更するなどＤＶＤ  Ｖｉｄｅｏで支援する多様な機能が使用できなくなる。
【特許文献１】米国特許公報第２００４−０２４３６９４号
【発明の開示】
【発明が解決しようとする課題】
【００１１】
本発明は、ローカルＤＶＤ再生器でのみ支援されるＤＶＤのナビゲーション及びインタラクション機能を、ホームネットワークでストリーミング方式を使用して再生する時にも利用可能にする装置及び方法を提供することを目的とする。
【課題を解決するための手段】
【００１２】
前記目的を達成するための本発明は、ホームネットワークのサーバでＤＶＤコンテンツを提供する方法において、（ａ）コンテンツ目録要請に対する応答としてＤＶＤコンテンツであることを表す項目情報を伝送するステップと、（ｂ）前記項目情報を獲得したクライアントから前記ＤＶＤコンテンツに対するセクター単位のデータ要請が受信され、該セクターのデータを抽出して前記クライアントに伝送するステップと、を含む。
【００１３】
ここで、前記項目情報は、前記ＤＶＤコンテンツがセクター単位の要請が可能であることを表す情報及び前記ＤＶＤコンテンツのＵＲＩ（ユニフォーム  リソース  アイデンティファイア）を含み、前記（ｂ）ステップは、前記要請されたセクターのデータがＣＳＳ（コンテント  スクランブリング  システム）によって暗号化された場合、復号化のためのディスクキー及びタイトルキーを前記要請されたデータと共に伝送することが望ましい。
【００１４】
また、本発明は、前記ＤＶＤコンテンツの提供方法をコンピュータで実行させるためのプログラムを記録したコンピュータで読み取り可能な記録媒体を提供する。
【００１５】
また、本発明は、ホームネットワークでＤＶＤコンテンツを提供するサーバにおいて、コンテンツ目録要請に対する応答としてＤＶＤコンテンツであることを表す項目情報を伝送する目録要請処理部と、前記項目情報を獲得したクライアントから前記ＤＶＤコンテンツに対するセクター単位のデータ要請が受信されるにつれて、該セクターのデータを抽出して前記クライアントに伝送する遠隔要請処理部と、を備える。
【００１６】
また、本発明は、ホームネットワークのクライアントで遠隔サーバのＤＶＤコンテンツを再生する方法において、前記サーバのコンテンツ項目情報を参照してＤＶＤコンテンツを認知するステップと、前記認知されたＤＶＤコンテンツのビデオマネジャー情報及びビデオタイトルセット情報（ＶＴＳＩ）を前記サーバから獲得するステップと、前記獲得した情報を参照して前記サーバに前記ＤＶＤコンテンツに対するセクター単位のデータを要請するステップと、を含む。
【００１７】
また、本発明は、前記ＤＶＤコンテンツの再生方法をコンピュータで実行させるためのプログラムを記録したコンピュータで読み取り可能な記録媒体を提供する。
【００１８】
ホームネットワークで遠隔サーバのＤＶＤコンテンツを再生するクライアント装置において、前記サーバのコンテンツ項目情報を参照してＤＶＤコンテンツを認知するＤＶＤ認知部と、前記認知されたＤＶＤコンテンツのビデオマネジャー情報（ＶＭＧＩ）及びビデオタイトルセット情報（ＶＴＳＩ）を前記サーバから獲得する情報獲得部と、前記獲得した情報を参照して前記サーバに前記ＤＶＤコンテンツに対するセクター単位のデータを要請するデータ要請部とを備える。
【発明の効果】
【００１９】
本発明によれば、ユーザの立場では、ホームネットワークのディバイスで遠隔のサーバに保存されたＤＶＤコンテンツをストリーミング再生しつつも、ローカル再生器でＤＶＤコンテンツを再生すると共に、ＤＶＤが提供する多様な機能をそのまま使用でき、また暗号化されたデータが復号化されずにそのまま伝送されるので、ＤＶＤ著作権者の立場では、コンテンツの複製に対する恐れが軽減されうる。
【発明を実施するための最良の形態】
【００２０】
以下、添付された図面を参照して、本発明の望ましい実施形態を詳細に説明する。以下の全ての説明では、ホームネットワークがＵＰｎＰ
ＡＶアーキテクチャーを基盤とすると仮定する。
【００２１】
まず、本発明の理解を助けるために、一般的なＤＶＤのデータ構造について説明する。
【００２２】
図３は、一般的なＤＶＤのファイル構造図である。
【００２３】
ＤＶＤは、Ｄｒｉｖｅ  Ｒｏｏｔ下にＶＩＤＥＯ＿ＴＳ  １００、及びＡＵＤＩＯ＿ＴＳというフォルダー構造を有し（ＡＵＤＩＯ＿ＴＳフォルダーは省略可能である）、ＶＩＤＥＯ＿ＴＳフォルダーには、Ｖｉｄｅｏ  Ｍａｎａｇｅｒ  Ｉｎｆｏｒｍａｔｉｏｎを含んでいるＶＩＤＥＯ＿ＴＳ.ＩＦＯ  １０１ファイルと、ＤＶＤタイトルをＤＶＤ再生器に挿入した時に最も先に再生される最上位メニューを示す画面データであるＶＩＤＥＯ＿ＴＳ.ＶＯＢ  １０２ファイルと、ＶＩＤＥＯ＿ＴＳ.ＩＦＯのバックアップファイルであるＶＩＤＥＯ＿ＴＳ.ＢＵＰ  １０３ファイルと、が含まれている。
【００２４】
ＶＩＤＥＯ＿ＴＳフォルダーは、これ以外にも第一のビデオタイトルの情報を保存しているＶＴＳ＿０１＿０.ＩＦＯ  １０４ファイルやメニュー画面データを有するＶＴＳ＿０１＿０.ＶＯＢ  １０５や、第一のタイトルの実際データを有するＶＴＳ＿０１＿１.ＶＯＢ  １０６や、ＶＴＳ＿０１＿２.ＶＯＢ．．．など、Ｖｉｄｅｏ  Ｔｉｔｌｅ  Ｓｅｔを構成するファイルが含まれている。参考までに、一つのＤＶＤには、このようなＶｉｄｅｏ  Ｔｉｔｌｅ  Ｓｅｔが１〜９９個まで含まれうる。
【００２５】
図４Ａないし図４Ｄは、一般的なビデオタイトルセット（ＶＴＳ）のデータ構造図である。
【００２６】
図４Ａは、一つのビデオタイトルを構成しているＶｉｄｅｏ  Ｔｉｔｌｅ  Ｓｅｔ  ２００の構造を示す図であるが、タイトルの制御情報であるＶｉｄｅｏ  Ｔｉｔｌｅ  Ｓｅｔ  Ｉｎｆｏｒｍａｔｉｏｎ（ＶＴＳＩ：ＶＴＳ＿０Ｘ＿０.ＩＦＯ）２０１は、該タイトルを構成しているプログラムチェーン（ＰＧＣ）情報、及びそのプログラムチェーンを構成するプログラム間の関連情報、プログラムとそのプログラムを構成するセル（Ｃｅｌｌ）との関連情報を有している。また、ＶＴＳＩ  ２０１は、これ以外にもＤＶＤナビゲーション機能を通じてアクセスするＣｅｌｌデータが実際のＤＶＤディスク上のどこに位置するかに関するセクター情報を含んでいる。
【００２７】
図４Ｂは、一つのビデオタイトルを構成しているＶｉｄｅｏ  Ｏｂｊｅｃｔ  Ｓｅｔｓ（ＶＯＢ）  ３００の構造を示す図であり、このように個別的なファイルとして存在するＶＯＢ
３０１ファイルが集まって一つのタイトルを構成する。一つのタイトルを再生するために、個別的なファイルとして存在するＶＯＢファイルを連続的に再生することによってタイトルの内容を鑑賞でき、同じタイムライン上でもカメラアングルやＰａｒｅｎｔａｌ  Ｃｏｎｔｒｏｌ情報によって、異なるＶＯＢファイルが選択的に再生されうる。
【００２８】
図４Ｃは、一つのＶＯＢ  ４００の構造を示しており、ＶＯＢは、数個のＣｅｌｌ  ４０１で構成されている。各Ｃｅｌｌは、トリックモードや探索のためのインデックス情報として使われ、一般的に、ＶＯＢは、チャプター単位のデータを含み、Ｃｅｌｌは、一つの個別シーンデータを含む。
【００２９】
図４Ｄは、一つのＣｅｌｌ  ５００の構造を示しており、図示されたように、Ｃｅｌｌは、数個のＶｉｄｅｏ  Ｏｂｊｅｃｔ  Ｕｎｉｔ（ＶＯＢＵ）５０１で構成される。一般的に、ＶＯＢＵは、０.５秒分量のデータを含み、一つ以上のＧＯＰ（Ｇｒｏｕｐ  ｏｆ  Ｐｉｃｔｕｒｅ）で構成されている。参考までに、ＶＯＢＵは、コントロール情報とインデックス情報とを含んでいるＮａｖｉｇａｔｉｏｎ  Ｐａｃｋデータを最前部分に含んでいる。
【００３０】
図５は、ＤＶＤを構成する物理的データと論理的データとの関係を示す図である。
【００３１】
論理的データ、すなわちプレゼンテーションデータは、ＤＶＤデータのグルーピングを決定し、データの再生順序を規定する。プレゼンテーションデータの最も大きい単位は、タイトル９０４であり、各タイトルは１〜９９９個のプログラムチェーン（ＰＧＣ）で構成されている。一タイトルを構成する第一のＰＧＣ  ９０１をＥｎｔｒｙ  ＰＧＣと命名し、タイトルのメインメニューがこれに該当する。また、一つのＰＧＣは、０〜９９個までのプログラム（ＰＧ）９０２で構成され、一つのＰＧは、数個のＣｅｌｌ  ９０７で構成される。プレゼンテーションデータと物理的データとは、Ｃｅｌｌレベルでマッピングされ、最終的なＤＶＤディスク上のデータ接近は、Ｃｅｌｌ単位でなされる。
【００３２】
図６Ａ及び図６Ｂは、一般的なＤＶＤナビゲーションコマンドを説明するための図である。図６Ａで表したＤＶＤナビゲーションコマンドは、ＰＧやＰＧＣ  Ｇｒｏｕｐ間の移動を行うための命令語である。前述したように、タイトルのＩＦＯファイルには、ＰＧＣを構成するＰＧ情報と該ＰＧを構成するＣｅｌｌの情報とが含まれており、特定ＰＧＣまたはＰＧへの移動を要請する時には、この情報を参照してＣｅｌｌのセクター情報を基盤として物理的なディスク上のデータを要請する。一方、図６は、Ｖｉｄｅｏ  ＭａｎａｇｅｒのメニューやＶｉｄｅｏ  Ｔｉｔｌｅのメニュー画面で使われるナビゲーションコマンドを示している。
【００３３】
図７は、論理的データの構造を説明するための図である。
【００３４】
ユーザがＤＶＤディスクをＤＶＤ再生器に挿入すれば、Ｖｉｄｅｏ  Ｍａｎａｇｅｒのメニュー画面１０００が出力され、メニューを通じて特定タイトルを選択すれば、該タイトルのメニュー画面に移動するか、またはタイトルの再生を開始する。再生中にユーザがカメラのアングルを変更するか、またはＰａｒｅｎｔａｌ  Ｃｏｎｔｒｏｌの設定によって同じタイムライン上でＰＧＣ間の移動が発生でき、このような移動は、ＰＧＣやＰＧ間の移動によって行われる。
【００３５】
図８は、一般的なＤＶＤ再生器の構造図である。
【００３６】
ＭＰＥＧデマルチプレクサ１１０４は、ＭＰＥＧ−ＰＳデータでＶｉｄｅｏ、Ａｕｄｉｏ、Ｓｕｂ−Ｐｉｃｔｕｒｅ、Ｎａｖｉｇａｔｉｏｎ  Ｐａｃｋを分離してそれぞれのデコーダモジュールにデータを提供し、各デコーダは、該ストリームを復号化してプレゼンテーションエンジン１１１１に提供する。プレゼンテーションエンジンは、伝達されたストリームをタイムコードによって組合わせて画面に出力することによって、ユーザは、ＤＶＤ映画を鑑賞できる。
【００３７】
ナビゲーションエンジン１１１０は、ナビゲーションパケットに含まれた情報を分析してタイムライン上でユーザインターフェース、メニュー生成、タイトル転換やカメラアングル転換のような再生流れの制御機能を提供する。ナビゲーションエンジン１１１０は、プレゼンテーションエンジン１１１１とのインタラクションを通じて復号化されたＮａｖｉｇａｔｉｏｎ情報と画面情報とをマッピングしてユーザのリモコン入力を分析し、これをＮａｖｉｇａｔｉｏｎ情報とマッピングすることによって前述したユーザインタラクション機能を行う。一方、ＤＶＤでは、コンテンツ複写を防止するためにＣＳＳ（Ｃｏｎｔｅｎｔ  Ｓｃｒａｍｂｌｉｎｇ  Ｓｙｓｔｅｍ）を利用した暗号化方法が使われうるが、ＣＳＳモジュール１１０３は、コンテンツ再生要請時に、ドライブユニットと再生プログラムとの認証キーの交換方式を使用してコンテンツを復号化する。
【００３８】
図９は、本発明の一実施形態によるＵＰｎＰメディアサーバの構造図である。
【００３９】
図示したように、本発明の一実施形態によるＵＰｎＰメディアサーバは、ＵＰｎＰ  アーキテクチャーで定義するＤｅｖｉｃｅ  Ｄｉｓｃｏｖｅｒｙ、Ｓｅｒｖｉｃｅ  Ｄｉｓｃｏｖｅｒｙ機能及び基本下位動作機能を提供するＵＰｎＰコントロールデバイス１４０１だけでなく、ストリーミングクライアントに実際のストリームデータを提供するストリーミングサーバを備える。ＵＰｎＰメディアサーバデバイス１４０１は、ＵＰｎＰ  ＡＶアーキテクチャースペックで定義したコンテンツディレクトリーサービスモジュール１４０２、コネックションマネージャサービスモジュール１４０３、選択モジュールであるＡＶトランスポートサービスモジュール１４０４を備える。
【００４０】
コンテンツディレクトリーサービスモジュール１４０２は、ＤＶＤ挿入時にＤＶＤのビデオマネージャ情報に基づいてコンテンツの項目情報を生成し、ＵＰｎＰ  ＡＶ  ＣＰのコンテンツブラウジングに対する応答として生成した項目情報を伝送する。
【００４１】
ストリーミングサーバは、本発明の核心的なモジュールであるリモートＤＶＤリクエストハンドラー１４１２を備えるが、リモートＤＶＤリクエストハンドラー１４１２は、遠隔ストリーミングクライアントからのストリーミングプロトコルレベルのセクターデータ要請をパージングして物理的なＤＶＤセクター単位の要請に変換し、ローカルストリームハンドラー１４０５及びＤＶＤ／ＣＤドライブユニットハンドラー１４０６を通じて該セクターのデータを抽出してストリーミングクライアントに伝送する。
【００４２】
図１０は、本発明の一実施形態によるＵＰｎＰメディアレンダラーの構造図である。図１０に示したように、本発明の一実施形態によるＵＰｎＰメディアレンダラーは、ＵＰｎＰメディアレンダラーデバイス１５００とレンダリングエンジン１５１２とに大別される。
【００４３】
ＵＰｎＰメディアレンダラーデバイス１５００は、ＵＰｎＰ  ＡＶアーキテクチャーで定義したＡＶトランスポートサービスモジュール１５０１、コネックションマネージャサービスモジュール１５０２、レンダリングコントロールサービスモジュール１５０３を備え、ＵＰｎＰ  ＡＶアーキテクチャーで定義する各サービスを担当する。
【００４４】
一方、レンダリングエンジン１５１２は、ストリーミングサーバからＤＶＤストリームを伝達されて再生を行う。レンダリングエンジン内のストリーミングプロトコルハンドラー１５０５は、ＨＴＴＰ、ＲＴＳＰ／ＲＴＰ、ＴＣＰ／ＵＤＰ／ＩＰなど、ＤＶＤのストリーミング時に使われるプロトコルを処理するモジュールである。
【００４５】
ローカル／リモートストリームハンドラー１５０９は、ストリーミングプロトコルハンドラー１５０５やローカルファイルシステム１５０８、またはＤＶＤ／ＣＤドライブユニット１５０７からデータストリームを伝送されて、暗号化されたコンテンツの復号化のためにＣＳＳデクリプター１５１４に伝送する。ＣＳＳデクリプター１５１４は、ローカル／リモートストリームハンドラー１５０９やストリーミングサーバまたはローカルドライブユニットハンドラー１５０６からディスクキー及びタイトルキーを伝達されて、暗号化されたデータを復号化してＭＰＥＧデマルチプレクサ１５０４に提供する。
【００４６】
ＭＰＥＧデマルチプレクサ１５０４は、伝送されたデータストリームを種類別に分類して各デコーダに伝送する役割を行う。プレゼンテーションエンジン
１５１３は、各デコーダから伝送されたストリームを組合わせて該タイムコードによってビデオ／オーディオ出力ハンドラー１５１１に出力する役割を行う。
【００４７】
ナビゲーションエンジン１５１０は、ナビゲーションパックデコーダ１５１５から受信したナビゲーション情報ＰＣＩ,ＤＳＩを基に、ユーザ入力によってローカルＤＶＤ  Ｖｉｄｅｏの場合、該セクターのデータを要請し、リモートストリーミングデータの再生時には、ストリーミングプロトコルハンドラー１５０５を通じてストリーミングサーバにセクター単位のデータを要請する。
【００４８】
ローカル／リモートストリームハンドラー１５０９は、ストリーミングサーバから伝達されたビデオマネージャ情報とビデオタイトル情報とを基にユーザ入力によって、ローカルＤＶＤビデオの再生時と同一に要請されたＣｅｌｌのセクター情報を検索し、検索されたセクター情報を基に現在使用中であるストリーミングプロトコルを通じて該セクターのデータをストリーミングサーバに要請することによって再生に必要なストリームデータを獲得する。
【００４９】
図１０に示したように、本実施形態でローカル／リモートストリームハンドラー１５０９は、ＤＶＤ認知部１５１６、情報獲得部１５１７及びデータ要請部１５１８を備える。ＤＶＤ認知部１５１６は、ＵＰｎＰ  ＣＰでＡＶＴ：：Ｓｅｔ  ＡＶ  Ｔｒａｎｓｐｏｒｔ  ＵＲＩ（）呼び出しメッセージに含まれたコンテンツ項目情報から、再生要請されたコンテンツがＤＶＤコンテンツであることを認知し、ＤＶＤ認知部で再生要請されたコンテンツがＤＶＤコンテンツであることを認知すれば、情報獲得部１５１７は、該ＤＶＤコンテンツのビデオマネジャー情報（ＶＭＧＩ）及びビデオタイトルセット情報（ＶＴＳＩ）をＵＰｎＰメディアサーバに要請し、それに対する応答として前記情報を受信する。データ要請部１５１８は、受信されたビデオマネジャー情報及びビデオタイトルセット情報を参照して、ＵＰｎＰメディアサーバにＤＶＤコンテンツについてのセクター単位のデータを要請する。
【００５０】
図１１Ａは、本発明の一実施形態によるＵＰｎＰメディアサーバでＤＶＤが挿入された時の動作を説明するためのフローチャートである。
【００５１】
ＤＶＤディスクがドライブに挿入されれば、Ｄｒｉｖｅ  Ｕｎｉｔは、これに対するシグナルをＤＶＤ／ＣＤ  Ｄｒｉｖｅ  Ｕｎｉｔ  Ｈａｎｄｌｅｒに伝送する。伝送されたシグナルによってＣｏｎｔｅｎｔ  Ｄｉｒｅｃｔｏｒｙ  Ｓｅｒｖｉｃｅのコンテンツメタデータ分析プロシージャが呼び出され、これにより、ＤＶＤ  Ｖｉｄｅｏディスクに含まれたＶＩＤＥＯ＿ＴＳ.ＩＦＯファイルからＣＤＳのための情報を抽出する。ＵＰｎＰメディアサーバのＣｏｎｔｅｎｔ  Ｄｉｒｅｃｔｏｒｙ  Ｓｅｒｖｉｃｅモジュールは、抽出された情報を利用してＣＤＳで使われるコンテンツ項目情報（ＣＤＳアイテム）を生成するが、このコンテンツ項目情報は、以後にＵＰｎＰ  ＡＶ  ＣＰでコンテンツに対するブラウジングを要請すれば、これに対する応答として伝送される。
【００５２】
このコンテンツ項目情報は、図１１Ｂのように構成されうる。図１１Ｂに示したように、コンテンツ項目情報のｒｅｓ  ｅｌｅｍｅｎｔには、該ＤＶＤビデオタイトルに対してセクター単位でデータを要請できるＵＲＬ情報が含まれ、Ｐｒｏｔｏｃｏｌ  Ｉｎｆｏ項目には、ｐｒｏｔｏｃｏｌ  Ｉｎｆｏ＝“ｈｔｔｐ−ｇｅｔ：＊：ｖｉｄｅｏ／ｍｐｅｇ：ＳＡＭＳＵＮＧ.ＣＯＭ＿ＦＮ＝ＤＶＤ＿ＰＳ＿ＮＴＳＣ＿ＳＵＰＰＯＲＴ＿ＳＥＣＴＥＲ＿ＡＣＣＥＳＳ”で見られるように、該コンテンツがセクター単位のアクセスを許容するＤＶＤコンテンツであることを表す情報も追加される。このような情報は、後でＵＰｎＰ  ＡＶ  ＣＰがＡＶＴ：：ＳｅｔＡＶＴｒａｎｓｐｏｒｔＵＲＩ（）呼び出しアクションを通じてＵＰｎＰメディアレンダラーに伝えられる。前述したように、ＵＰｎＰメディアレンダラーは、前記コンテンツ項目情報を見て、再生要請された項目がＤＶＤコンテンツであることを認知した後、ＤＶＤコンテンツの再生のための一連のプロセスを行う。
【００５３】
図１２は、本発明の一実施形態によって、ＵＰｎＰメディアレンダラーでＵＰｎＰメディアサーバのＤＶＤコンテンツを再生するための準備過程を示すフローチャートである。
【００５４】
ユーザは、ＵＰｎＰ  ＡＶ  ＣＰを使用してＵＰｎＰ  Ｍｅｄｉａ  Ｓｅｒｖｅｒに存在するコンテンツのブラウジングを要請する。これに対する応答として伝送されたコンテンツ目録でユーザが再生するＤＶＤコンテンツ及び再生するＵＰｎＰ  Ｍｅｄｉａ  Ｒｅｎｄｅｒｅｒを選択し、再生を要請する。ＵＰｎＰ  ＡＶ  ＣＰは、ＵＰｎＰ  Ｍｅｄｉａ  ＲｅｎｄｅｒｅｒのＣＭ：：ＧｅｔＰｒｏｔｏｃｏｌＩｎｆｏ（）を呼び出し、これに対する応答としてＵＰｎＰメディアレンダラーは、自身がＤＶＤコンテンツをセクター単位で要請して再生しうるということをＵＰｎＰ  ＡＶ  ＣＰに通知する。応答を受信したＵＰｎＰ  ＡＶ  ＣＰは、ユーザの再生命令を行うためにＵＰｎＰ  Ｍｅｄｉａ  Ｒｅｎｄｅｒｅｒに再生要請されたＤＶＤコンテンツのＵＲＩ及びｒｅｓ  ｅｌｅｍｅｎｔ情報を含めてＡＶＴ：：ＳｅｔＴｒａｎｓｐｏｒｔＵＲＩ（）呼び出しメッセージを伝送する。ＵＰｎＰ  Ｍｅｄｉａ  Ｒｅｎｄｅｒｅｒは、ｒｅｓ情報を分析して、再生を要請されたコンテンツがＤＶＤであることを認識し、再生に必要なリソースを初期化した後に呼び出しに対する応答を伝送する。以後、ＵＰｎＰ  ＡＶ  ＣＰは、ＵＰｎＰ  Ｍｅｄｉａ  ＲｅｎｄｅｒｅｒのＡＶＴ：：Ｐｌａｙアクションを呼び出してＤＶＤコンテンツの再生を要請する。
【００５５】
図１３Ａは、本発明の一実施形態によって、ＵＰｎＰメディアレンダラーでＵＰｎＰメディアサーバのＤＶＤコンテンツを再生する過程を示すフローチャートである。
【００５６】
ＵＰｎＰ  Ｍｅｄｉａ  Ｒｅｎｄｅｒ  Ｄｅｖｉｃｅは、Ｒｅｎｄｅｒｉｎｇ  ＥｎｇｉｎｅのＬｏｃａｌ／Ｒｅｍｏｔｅ  Ｓｔｒｅａｍ  ＨａｎｄｌｅｒにＤＶＤコンテンツのＵＲＩとｒｅｓ  ｅｌｅｍｅｎｔを含む項目情報とを伝達する。前述したように、このような項目情報は、ＡＶＴ：：ＳｅｔＴｒａｎｓｐｏｒｔＵＲＩ（）呼び出しメッセージに含まれてＵＰｎＰ  ＡＶ  ＣＰから伝送されたものである。Ｌｏｃａｌ／Ｒｅｍｏｔｅ  Ｓｔｒｅａｍ  Ｈａｎｄｌｅｒは、伝達されたＵＲＩの有効性を確認し、ｒｅｓ  ｅｌｅｍｅｎｔに含まれたメタデータ情報を基に再生を要請されたメディアフォーマットが遠隔のＤＶＤコンテンツであることを認知する。
【００５７】
再生要請されたコンテンツが遠隔のＤＶＤコンテンツであることを認知したＲｅｎｄｅｒｉｎｇ  Ｅｎｇｉｎｅは、ＵＰｎＰメディアサーバにＶｉｄｅｏ  Ｍａｎａｇｅｒ  ＩｎｆｏｒｍａｔｉｏｎとＶｉｄｅｏ  Ｔｉｔｌｅ  Ｉｎｆｏｒｍａｔｉｏｎとを要請する。このとき、要請形式は、セクター単位であり、まず初期に０番地セクターを読み出してＶｉｄｅｏ  Ｍａｎａｇｅｒ  ＩｎｆｏｒｍａｔｉｏｎのＰａｙｌｏａｄ長に対する情報を得、再びＰａｙｌｏａｄに該当する最後のセクターまでのデータを要請する。
【００５８】
また、Ｖｉｄｅｏ  Ｍａｎａｇｅｒ  ＩｎｆｏｒｍａｔｉｏｎからＶｉｄｅｏ  Ｔｉｔｌｅ  Ｓｅｔ  Ｉｎｆｏｒｍａｔｉｏｎのセクター情報を得て、ＤＶＤディスクに含まれている全てのタイトルのＶｉｄｅｏ  Ｔｉｔｌｅ  Ｓｅｔ  Ｉｎｆｏｒｍａｔｉｏｎを獲得する。Ｌｏｃａｌ／Ｒｅｍｏｔｅ  Ｓｔｒｅａｍ  Ｈａｎｄｌｅｒは、Ｓｔｒｅａｍｉｎｇ  Ｐｒｏｔｏｃｏｌ  Ｈａｎｄｌｅｒを通じてＵＰｎＰメディアサーバにセクター単位でデータを要請するが、Ｌｏｃａｌ／Ｒｅｍｏｔｅ  Ｓｔｒｅａｍ  Ｈａｎｄｌｅｒが要請するデータのセクター情報をＳｔｒｅａｍｉｎｇ  Ｐｒｏｔｏｃｏｌ  Ｈａｎｄｌｅｒに提供すれば、Ｓｔｒｅａｍｉｎｇ  Ｐｒｏｔｏｃｏｌ  Ｈａｎｄｌｅｒは、要請されたセクター情報に基づいてストリーミングプロトコルに適したデータ要請メッセージを生成して、ＵＰｎＰメディアサーバのＳｔｒｅａｍｉｎｇ  Ｓｅｒｖｅｒに伝送する。図１３ＢにＨＴＴＰプロトコルを使用してセクター単位でデータを要請するためのメッセージの構造を示した。
【００５９】
図１３Ｂに示した形態のメッセージを通じてセクター単位のデータ要請を受信したストリーミングサーバは、要請された該セクターのデータを伝送し、もし、伝送しようとするセクターのデータがＣＳＳ暗号化された場合には、ＣＳＳ認証過程を経て最終的に得られたＤｉｓｋ  ＫｅｙとＴｉｔｌｅ  ＫｅｙとをＡｐｐｌｉｃａｔｉｏｎ／Ｖｎｄ.ｐｗｇ−ｍｕｌｔｉｐｌｅｘｅｄ  ＭＩＭＥ  ｔｙｐｅ伝送方式によって応答メッセージに含めて伝送する。このとき、ＨＴＴＰ  ＨＥＡＤＥＲには、Ｄｉｓｋ  ＫｅｙとＴｉｔｌｅ  Ｋｅｙとが応答データに含まれていることを表すＤｉｓｋ−Ｋｅｙ及びＴｉｔｌｅ−Ｋｅｙフィールドが含まれる。図１３Ｃには、伝送要請されたセクターのデータがＣＳＳ暗号化された場合の応答メッセージについての例を示した。
【００６０】
Ｌｏｃａｌ／Ｒｅｍｏｔｅ  Ｓｔｒｅａｍ  Ｈａｎｄｌｅｒは、それぞれのＶｉｄｅｏ  Ｔｉｔｌｅ  Ｓｅｔ  ＩｎｆｏｒｍａｔｉｏｎからＰＧＣ情報とＰＧとの関係、ＰＧを構成しているＣｅｌｌ情報を保存し、それぞれのＣｅｌｌが位置したＤＶＤディスク上のセクター情報を共に管理する。また、Ｌｏｃａｌ／Ｒｅｍｏｔｅ  Ｓｔｒｅａｍ  Ｈａｎｄｌｅｒは、Ｖｉｄｅｏ  Ｍａｎａｇｅｒ  ＩｎｆｏｒｍａｔｉｏｎからＶｉｄｅｏ  Ｍａｎａｇｅｒ  Ｄａｔａが位置したセクター情報を得て該データを要請し、Ｒｅｎｄｅｒｉｎｇ  Ｅｎｇｉｎｅは、受信したデータを利用してＤＶＤのメーンメニュー画面の再生を開始する。
【００６１】
ＭＰＥＧ  Ｄｅｍｌｔｉｐｌｅｘｅｒは、Ｍｕｌｔｉｐｌｅｘｅｄ  ＭＰＥＧ−２ＰＳストリームから種類別にＥｌｅｍｅｎｔａｒｙ  Ｓｔｒｅａｍを分離して、それぞれのストリームを該デコーダに伝送するが、前記分離されたＥｌｅｍｅｎｔａｒｙ  Ｓｔｒｅａｍのうち、ＮＡＶ  Ｐａｃｋデータは、Ｎａｖ  ＤｅｃｏｄｅｒによってＰＣＩ、ＤＳＩデータに分離されてＮａｖｉｇａｔｉｏｎ  Ｅｎｇｉｎｅに伝達される。
【００６２】
Ｎａｖｉｇａｔｉｏｎ  Ｅｎｇｉｎｅは、現在タイムライン上で行えるアクション及び画面位置情報をＬｏｃａｌ／Ｒｅｍｏｔｅ  Ｓｔｒｅａｍ  Ｈａｎｄｌｅｒに伝達し、Ｌｏｃａｌ／Ｒｅｍｏｔｅ  Ｓｔｒｅａｍ  Ｈａｎｄｌｅｒは、これに基づいてユーザ入力によってタイトル移動またはメニュー選択に対する結果出力のために、ＤＶＤの該セクターに記録されたデータを要請する。
【００６３】
一方、前述した本発明の実施形態は、コンピュータで実行されうるプログラムに作成可能であり、コンピュータで読み取り可能な記録媒体を利用して前記プログラムを動作させる汎用のディジタルコンピュータで具現されうる。
【００６４】
前記コンピュータで読み取り可能な記録媒体は、マグネチック保存媒体（例えば、ＲＯＭ、フロッピー（登録商標）ディスク、ハードディスクなど）、光学的判読媒体、例えば、ＣＤ−ＲＯＭ、ＤＶＤなど）及びキャリアウェーブ（例えば、インターネットを通じた伝送）のような保存媒体を含む。
【００６５】
以上、本発明についてその望ましい実施形態を中心に説明した。当業者は、本発明が本発明の本質的な特性から逸脱しない範囲で変形された形態で具現されうるということが理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にある全ての差異点は、本発明に含まれていると解釈されねばならない。
【産業上の利用可能性】
【００６６】
本発明は、ホームネットワーク関連の技術分野に適用可能である。
【図面の簡単な説明】
【００６７】
【図１Ａ】一般的なＵＰｎＰ  ＡＶアーキテクチャーでタイトル単位でＤＶＤコンテンツを利用する方法を説明するためのフローチャートである。
【図１Ｂ】図１Ａで使われるＣＤＳ上のコンテンツ項目情報を示す図である。
【図２Ａ】一般的なＵＰｎＰ  ＡＶアーキテクチャーでファイル単位でＤＶＤコンテンツを利用する方法を説明するためのフローチャートである。
【図２Ｂ】図２Ａで使われるＣＤＳ上のコンテンツ項目情報を示す図である。
【図３】一般的なＤＶＤのファイル構造図である。
【図４Ａ】一般的なビデオタイトルセット（ＶＴＳ）のデータ構造図である。
【図４Ｂ】一般的なビデオタイトルセット（ＶＴＳ）のデータ構造図である。
【図４Ｃ】一般的なビデオタイトルセット（ＶＴＳ）のデータ構造図である。
【図４Ｄ】一般的なビデオタイトルセット（ＶＴＳ）のデータ構造図である。
【図５】ＤＶＤを構成する物理的データと論理的データとの関係を示す図である。
【図６Ａ】一般的なＤＶＤナビゲーションコマンドを説明するための図である。
【図６Ｂ】一般的なＤＶＤナビゲーションコマンドを説明するための図である。
【図７】論理的データの構造を説明するための図である。
【図８】一般的なＤＶＤ再生器の構造図である。
【図９】本発明の一実施形態によるＵＰｎＰメディアサーバの構造図である。
【図１０】本発明の一実施形態によるＵＰｎＰメディアレンダラーの構造図である。
【図１１Ａ】本発明の一実施形態によるＵＰｎＰメディアサーバでＤＶＤが挿入された時の動作を説明するためのフローチャートである。
【図１１Ｂ】図１１Ａで使われるコンテンツ項目情報を示す図である。
【図１２】本発明の一実施形態によってＵＰｎＰメディアレンダラーでＵＰｎＰメディアサーバのＤＶＤコンテンツを再生するための準備過程を示すフローチャートである。
【図１３Ａ】本発明の一実施形態によってＵＰｎＰメディアレンダラーでＵＰｎＰメディアサーバのＤＶＤコンテンツを再生する過程を示すフローチャートである。
【図１３Ｂ】図１３Ａで使われるメッセージの構造を示す図である。
【図１３Ｃ】図１３Ａで使われるメッセージの構造を示す図である。
【符号の説明】
【００６８】
１００  ＶＩＤＥＯ＿ＴＳ
１０１  ＶＩＤＥＯ＿ＴＳ.ＩＦＯ
１０２  ＶＩＤＥＯ＿ＴＳ.ＶＯＢ
１０３  ＶＩＤＥＯ＿ＴＳ.ＢＵＰ
１０４  ＶＴＳ＿０１＿０.ＩＦＯ
１０５  ＶＴＳ＿０１＿０.ＶＯＢ
１０６  ＶＴＳ＿０１＿０.ＶＯＢ
【図１Ａ】
2007159137.tif 000003
【図１Ｂ】
2007159137.tif 000004
【図２Ａ】
2007159137.tif 000005
【図２Ｂ】
2007159137.tif 000006
【図３】
2007159137.tif 000007
【図４Ａ】
2007159137.tif 000008
【図４Ｂ】
2007159137.tif 000009
【図４Ｃ】
2007159137.tif 000010
【図４Ｄ】
2007159137.tif 000011
【図５】
2007159137.tif 000012
【図６Ａ】
2007159137.tif 000013
【図６Ｂ】
2007159137.tif 000014
【図７】
2007159137.tif 000015
【図８】
2007159137.tif 000016
【図９】
2007159137.tif 000017
【図１０】
2007159137.tif 000018
【図１１Ａ】
2007159137.tif 000019
【図１１Ｂ】
2007159137.tif 000020
【図１２】
2007159137.tif 000021
【図１３Ａ】
2007159137.tif 000022
【図１３Ｂ】
2007159137.tif 000023
【図１３Ｃ】
2007159137.tif 000024